(57)【要約】【課題】  展示物を周囲や上方から覗き込むことが可能な島置きタイプで、基台の上部に下方が開放した透明なカバーを昇降可能に設けた展示ケースにおいて、基台の展示物載置板のコーナー部に切欠部を設ける必要がなく、展示効果に優れた昇降カバーを備えた展示ケースを提供する。【解決手段】  上面に展示物載置板を設けた基台１の上部に透明なカバー２をコーナー部に配した４本の支持杆４で支持して昇降可能に設け、展示物載置板の周囲とカバーの枠体との間に形成されるスリット開口１１を通して展示空間の調湿を行うようになし、少なくとも基台の上端部コーナー部でスリット開口より外側位置に挿通孔１３を形成するとともに、挿通孔にアングル材からなる支持杆を配設し、支持杆の二つの板部をそれぞれスリット開口のコーナー部の平面視Ｌ字形部分に対応させた。【選択図】        図１
2010246796.tif 000002
【特許請求の範囲】
【請求項１】
上面に展示物載置板を設けた基台の上部に、全側面板と上面板が透明で下方が開放したカバーをコーナー部に配した４本の支持杆で支持して昇降可能に設け、カバーを下降させて基台との間で気密性を保った状態で、前記展示物載置板の周囲とカバーの枠体との間に形成されるスリット開口を通して展示空間の調湿を行うようになした昇降カバーを備えた展示ケースにおいて、少なくとも前記基台の上端部コーナー部で前記スリット開口より外側位置に挿通孔を形成するとともに、該挿通孔にアングル材からなる前記支持杆を配設し、該支持杆の二つの板部をそれぞれ前記スリット開口のコーナー部の平面視Ｌ字形部分に対応させたことを特徴とする昇降カバーを備えた展示ケース。
【請求項２】
前記基台は、上部に上方開放した平面視四角形のボックス体を備えるとともに、該ボックス体の上部周囲に外周縁が外向きの接合板を設け、該接合板より外側のコーナー部に前記挿通孔を形成し、前記接合板の上位に端部を余して床構造体を配設するともに、前記カバーの下端周縁を保持した枠体と前記接合板の上面外周部との間にパッキンを介在させて気密接合し、前記床構造体の表層部を形成する前記展示物載置板と枠体との間に設けた前記スリット開口と前記ボックス体とを連通し、該ボックス体内に調湿剤を配置してなる請求項１記載の昇降カバーを備えた展示ケース。
【請求項３】
前記枠体の下端に前記支持杆の上端を固定するとともに、該枠体の下部内周部に、前記基台の接合板の上面外周部に添設した前記パッキンに圧接する当接板を形成してなる請求項２記載の昇降カバーを備えた展示ケース。
【請求項４】
前記基台は、前記ボックス体の両側下部に脚体を備え、両脚体の間を空間となすとともに、前記支持杆の昇降機構を該脚体内に設けてなる請求項１〜３何れかに記載の昇降カバーを備えた展示ケース。
【発明の詳細な説明】
【技術分野】
【０００１】
本発明は、昇降カバーを備えた展示ケースに係わり、更に詳しくは美術館、博物館、店舗等に設置し、透明扉が閉止時に気密状態を保つ構造の展示ケースにおいて、透明扉を左右何れの側にも開閉することが可能な両開き扉開閉装置に関するものである。
【背景技術】
【０００２】
従来から、美術館、博物館、店舗等に設置する展示ケースにおいて、上面に展示物載置板を設けた基台の上部に、全側面板と上面板が透明で下方が開放したカバーを昇降可能に設け、カバーを下降させて基台との間で気密性を保った状態で、前記展示物載置板の周囲とカバーの枠体との間に形成されるスリット開口を通して展示空間の調湿を行うようになした展示ケースは各種提供されている。
【０００３】
例えば、特許文献１には、基台の展示物載置板のコーナー部を切り欠き、該切欠部から基台に内蔵した昇降機構の支持杆を出没可能に設け、これら４本の支持杆の上端に四角形の枠体を固定し、該枠体の上位に全側面板と上面板が透明で下方が開放したカバーを装着した展示ケースが記載されている。前記昇降機構により展示物載置板のコーナー部の切欠部から支持杆が上昇してカバーを持ち上げ、前記展示物載置板にアクセス可能に開放するのである。
【０００４】
特許文献１に記載の展示ケースは、支持杆を昇降させるための空間を確保するために、前記展示物載置板のコーナー部に切欠部を設ける必要があるが、前記カバーを下降させて枠体を基台の周縁部に接合した閉止状態では、切欠部は開口となって、それが露出したままであると見苦しいので、展示物載置板の上面に切欠部をも覆うように可撓性の被覆材を敷いている。前記被覆材は前記昇降機構により支持杆が上昇する際には、コーナー部が捲り上がるようになっている。しかし、前記支持杆が昇降する度に該支持杆で被覆材のコーナー部を変形させるので、耐久性に問題があり、支持杆が上昇する際に被覆材を巻き上げて、展示物を倒壊させる危険性や、支持杆が下降する際に被覆材を巻き込んで切欠部が露出するといった問題が生じないとも限らない。当然、前記被覆材を省略すれば、カバーの閉止状態、即ち展示状態において、コーナー部に切欠部が露出するので、展示効果を損なうことになる。
【先行技術文献】
【特許文献】
【０００５】
【特許文献１】特開２００８−２０６５４５号公報
【発明の概要】
【発明が解決しようとする課題】
【０００６】
そこで、本発明が前述の状況に鑑み、解決しようとするところは、美術館、博物館、店舗等に設置し、展示物を周囲や上方から覗き込むことが可能な島置きタイプで、基台の上部に下方が開放した透明なカバーをコーナー部に配した４本の支持杆で昇降可能に設けた昇降カバーを備えた展示ケースにおいて、基台の展示物載置板のコーナー部に切欠部を設ける必要がなく、展示効果に優れた昇降カバーを備えた展示ケースを提供する点にある。
【課題を解決するための手段】
【０００７】
本発明は、前述の課題解決のために、上面に展示物載置板を設けた基台の上部に、全側面板と上面板が透明で下方が開放したカバーをコーナー部に配した４本の支持杆で支持して昇降可能に設け、カバーを下降させて基台との間で気密性を保った状態で、前記展示物載置板の周囲とカバーの枠体との間に形成されるスリット開口を通して展示空間の調湿を行うようになした昇降カバーを備えた展示ケースにおいて、少なくとも前記基台の上端部コーナー部で前記スリット開口より外側位置に挿通孔を形成するとともに、該挿通孔にアングル材からなる前記支持杆を配設し、該支持杆の二つの板部をそれぞれ前記スリット開口のコーナー部の平面視Ｌ字形部分に対応させたことを特徴とする昇降カバーを備えた展示ケースを構成した（請求項１）。
【０００８】
ここで、前記基台は、上部に上方開放した平面視四角形のボックス体を備えるとともに、該ボックス体の上部周囲に外周縁が外向きの接合板を設け、該接合板より外側のコーナー部に前記挿通孔を形成し、前記接合板の上位に端部を余して床構造体を配設するともに、前記カバーの下端周縁を保持した枠体と前記接合板の上面外周部との間にパッキンを介在させて気密接合し、前記床構造体の表層部を形成する前記展示物載置板と枠体との間に設けた前記スリット開口と前記ボックス体とを連通し、該ボックス体内に調湿剤を配置してなることが好ましい（請求項２）。
【０００９】
更に、前記枠体の下端に前記支持杆の上端を固定するとともに、該枠体の下部内周部に、前記基台の接合板の上面外周部に添設した前記パッキンに圧接する当接板を形成してなることがより好ましい（請求項３）。
【００１０】
また、前記基台は、前記ボックス体の両側下部に脚体を備え、両脚体の間を空間となすとともに、前記支持杆の昇降機構を該脚体内に設けてなることも好ましい（請求項４）。
【発明の効果】
【００１１】
以上にしてなる請求項１に係る発明の昇降カバーを備えた展示ケースは、上面に展示物載置板を設けた基台の上部に、全側面板と上面板が透明で下方が開放したカバーをコーナー部に配した４本の支持杆で支持して昇降可能に設け、カバーを下降させて基台との間で気密性を保った状態で、前記展示物載置板の周囲とカバーの枠体との間に形成されるスリット開口を通して展示空間の調湿を行うようになした昇降カバーを備えた展示ケースにおいて、少なくとも前記基台の上端部コーナー部で前記スリット開口より外側位置に挿通孔を形成するとともに、該挿通孔にアングル材からなる前記支持杆を配設し、該支持杆の二つの板部をそれぞれ前記スリット開口のコーナー部の平面視Ｌ字形部分に対応させたので、展示物載置板のコーナー部に支持杆を通すための切欠部を設ける必要がないので、展示空間を広く利用できるとともに、展示物載置板の表面がスッキリとして展示効果が高くなる。つまり、前記支持杆を通すための挿通孔は、展示空間の調湿のために展示物載置板の周囲とカバーの枠体との間に形成したスリット開口より外側位置に形成したので、前記カバーが閉止した状態では前記挿通孔は枠体で隠れ、スリット開口のみが露出するので、別途挿通孔を隠すための被覆材を敷設する必要がなく、構造的にも外観的にも単純になる。
【００１２】
請求項２によれば、前記基台は、上部に上方開放した平面視四角形のボックス体を備えるとともに、該ボックス体の上部周囲に外周縁が外向きの接合板を設け、該接合板より外側のコーナー部に前記挿通孔を形成し、前記接合板の上位に端部を余して床構造体を配設するともに、前記カバーの下端周縁を保持した枠体と前記接合板の上面外周部との間にパッキンを介在させて気密接合し、前記床構造体の表層部を形成する前記展示物載置板と枠体との間に設けた前記スリット開口と前記ボックス体とを連通し、該ボックス体内に調湿剤を配置してなるので、カバーを下降させた閉止状態では、ボックス体の周囲の接合板とカバーの枠体との間にパッキンを介在させているので気密状態にすることができ、ボックス体内に配設した調湿剤によりカバー内の展示空間の調湿を効果的に行うことができる。
【００１３】
請求項３によれば、前記枠体の下端に前記支持杆の上端を固定するとともに、該枠体の下部内周部に、前記基台の接合板の上面外周部に添設した前記パッキンに圧接する当接板を形成してなるので、前記支持杆は枠体の平面投影面内に収まり、前記挿通孔を接合板より外側のコーナー部に小さく形成することができ、またカバーを閉止した状態では接合板の上面外周部に添設した前記パッキンに、枠体の下部内周部に形成した当接板が圧接状態で載置するので、気密性を維持できるとともに、パッキンが介在するので、カバーを下降させたときの衝撃を吸収することができる。
【００１４】
請求項４によれば、前記基台は、前記ボックス体の両側下部に脚体を備え、両脚体の間を空間となすとともに、前記支持杆の昇降機構を該脚体内に設けてなるので、車椅子に座ったままカバーに顔を近づけて展示物を鑑賞することができる。
【図面の簡単な説明】
【００１５】
【図１】本発明に係る展示ケースの全体斜視図である。
【図２】カバーを下降させた閉止状態で基台を一部破断して示した側面図である。
【図３】カバーを上昇させた開放状態で基台を一部破断して示した側面図である。
【図４】基台のコーナー部を示す部分平面図である。
【図５】同じく基台のコーナー部を示す部分縦断正面図である。
【図６】カバーの閉止状態における基台の部分縦断正面図である。
【図７】カバーの開放状態における基台の部分縦断正面図である。
【図８】カバーの開放状態における基台のコーナー部の部分斜視図である。
【図９】施錠機構を示すボックス体の簡略底面図である。
【図１０】支持杆の案内構造を示す部分縦断底面図である。
【図１１】他の実施形態を示し、基台のコーナー部を示す部分縦断正面図である。
【発明を実施するための形態】
【００１６】
次に、添付図面に示した実施形態に基づき、本発明を更に詳細に説明する。図１は本発明に係る昇降カバーを備えた展示ケースの実施形態を示し、図２はカバーの閉止状態、図３はカバーの開放状態、図４〜図９は各部の詳細を示し、図中符号１は基台、２はカバー、３は昇降機構、４は支持杆をそれぞれ示している。
【００１７】
本発明の展示ケースは、図１〜図３に示すように、平面視四角形の基台１の上部に下方開放した透明箱状のカバー２を配置し、該基台１に内蔵した昇降機構３にてコーナー部に配した４本の支持杆で前記カバー２を昇降可能に支持したものである。前記基台１は、上部に上方開放した平面視四角形のボックス体５を備えるとともに、該ボックス体５の両側下部に脚体６，６を備え、両脚体６，６の間を空間とするとともに、前記支持杆４，…の昇降機構３をそれぞれの脚体６内に設けている。このように、両脚体６，６間に空間を設けているので、車椅子に座ったまま顔をカバー２に近づけて鑑賞することができる。また、この空間は蹴込み部となるので、楽な姿勢で立った状態で最接近することができる。
【００１８】
そして、前記基台１の上面には、展示物を載置する展示物載置板７を設けている。一方、前記カバー２は、全側面板８，…と上面板９が透明で下方が開放し、下端縁に枠体１０を装着している。前記支持杆４の上端に、前記カバー２の枠体１０の下端を固定している。ここで、前記カバー２の側面板８，…と上面板９は、飛散防止シートを貼ったガラス板で構成しているが、アクリル樹脂板等の透明合成樹脂板で形成しても良い。各側面板８，８同士と、側面板８と上面板９との接合部はシリコーンゴム等で連結している。
【００１９】
そして、前記展示物載置板７の周囲とカバー２の枠体１０との間に、スリット開口１１を形成している。前記カバー２を下降させて基台１との間で気密性を保った状態で、前記カバー２と展示物載置板７とで囲まれた展示空間１２と前記スリット開口１１を通してボックス体５の内部が連通しており、該ボックス体５の内部に配置した調湿剤で展示空間１２の調湿を行うようになっている。
【００２０】
本発明では、少なくとも前記基台１の上端部コーナー部で前記スリット開口１１より外側位置に挿通孔１３，…を形成するとともに、該挿通孔１３，…にアングル材からなる前記支持杆４，…を配設し、該支持杆４の二つの板部をそれぞれ前記スリット開口１１のコーナー部の平面視Ｌ字形部分に対応させている。このように、前記支持杆４をアングル材で構成し、前記スリット開口１１より外側位置に挿通孔１３を形成することにより、前記展示物載置板７のコーナー部を切り欠いて支持杆４を挿通するための大きな開口を設ける必要がなくなる。尚、前記挿通孔１３は、前記支持杆４の断面形状に合わせて平面視Ｌ字形に形成することが好ましいが、直接見えない位置に設けるので、形状は任意であり、製造工程を考慮して決定すればよい。
【００２１】
具体的には、図４〜図８に示すように、前記基台１は、上部に上方開放した平面視四角形のボックス体５を備えるとともに、該ボックス体５の上部周囲に外周縁が外向きの接合板１４を設け、該接合板１４より外側のコーナー部に前記挿通孔１３を形成し、前記接合板１４の上位に端部を余して床構造体１５を配設するともに、前記カバー２の下端周縁を保持した枠体１０と前記接合板１４の上面外周部との間にパッキン１６を介在させて気密接合し、前記床構造体１５の表層部を形成する前記展示物載置板７と枠体１０との間に設けた前記スリット開口１１と前記ボックス体５とを連通し、該ボックス体５内に調湿剤を配置している。更に詳しくは、前記枠体１０の下端のコーナー部に前記支持杆４の上端を固定するとともに、該枠体１０の下部内周部に、前記基台１の接合板１４の上面外周部に添設した前記パッキン１６に圧接する当接板１７を形成している。
【００２２】
前記枠体１０は、図５に示すように、外側半分に上方開放した保持溝１８を形成し、内側半分に断面略コ字形の補強部１９を設け、該補強部１９の下板を前記当接板１７としている。そして、前記枠体１０は、前記基台１と同形の平面視四角形とし、前記保持溝１８に前記カバー２を構成する側面板８の下端部を弾性的に気密保持している。そして、前記支持杆４の上端を前記枠体１０のコーナー部の中央部に固定している。
【００２３】
前記床構造体１５は、前記ボックス体５の周囲に設けた接合板１４の上に、複数の杆体２０を井桁状に配置して前記スリット開口１１と前記ボックス体５の内部との通気性を略全周にわたって確保しつつ、前記杆体２０の上に前記展示物載置板７を載置固定した構造である。前記ボックス体５の下面には、施錠可能な開閉蓋２１を設け、該開閉蓋２１の上面に調湿剤をセットできるようにしている。
【００２４】
前記カバー２は、図２に示すように、下降させて基台１との間で気密状態を保った閉止状態で展示する。前記カバー２は、全面が透明であるので、側方や上方から展示空間１２内の展示物を覗き込むことができる。一方、展示物を交換したり、展示空間１２のメンテナンスをする際に、図３に示すように、昇降機構３を操作して支持杆４，…を上昇させて前記カバー２を持ち上げた開放状態にして、内部にアクセスするのである。
【００２５】
次に、前記基台１の脚体６に内蔵した昇降機構３を図２、図３、図６及び図７に基づいて説明する。前記昇降機構３は、手動で前記カバー２を持ち上げたり、押し下げたりする場合に、その動作をアシストするものであり、閉止状態では上方へ付勢された状態で施錠してカバー２をロックし、手動でカバー２を持ち上げる際に補助し、また最も上昇させた際に、カバー２から手を離しても開放状態を維持する機能を備えている。各脚体６に対応する前後一対の支持杆４，４は、下端で互いに連結杆２２で連結固定されており、前記昇降機構３は荷重の一部を受けて前記支持杆４，４を平行に昇降案内するものである。
【００２６】
つまり、前記昇降機構３は、脚体６の下部の前部に設けた台座２３の前端部に下リンク杆２４の下端を枢着するとともに、前記連結杆２２の前端部に上リンク杆２５の上端を枢着し、更に前記下リンク杆２４の上端部を余した上部と前記上リンク杆２５の下端を遊びを設けて枢着してパンタグラフを構成し、更に前記下リンク杆２４の中間部と前記脚体６の下端後部との間に、傾斜状態でオイルダンパー２６をリンク連結した基本構造を有している。前記オイルダンパー２６は、ピストン・シリンダー構造で、伸長するようにバネ付勢され、また急激な伸縮は緩和するようなものである。図２に示した閉止状態では、前記下リンク杆２４と上リンク杆２５が鋭角に折り畳まれ、前記オイルダンパー２６の軸線に対して下リンク杆２４の角度が浅いので、十分な押上げ力が得られない。そのため、前記台座２３の上面と下リンク杆２４の間に、キックバネ２７を介在させて、閉止状態から開放する動作の初期段階での該キックバネ２７が作用して前記カバー２を持ち上げるのである。
【００２７】
尚、前記下リンク杆２４と上リンク杆２５のパンタグラフ構造によって、前記連結杆２２の前端部のみが支持されるので、支持力に偏りが生じる。それを解消するために、前記下リンク杆２４の上端部にコロ２８を設け、閉止状態において前記連結杆２２の後部下面に前記コロ２８が当止するようになっている。また、図３に示した開放状態では、前記下リンク杆２４と上リンク杆２５の角度は鈍角に開き、前記オイルダンパー２６の軸線に対して下リンク杆２４の角度が深く、つまり９０度に近い角度であるので、該オイルダンパー２６の弾性付勢力によって前記カバー２の重量を支えることができるようになる。この開放状態では、それ以上カバー２が上昇しないように、前記下リンク杆２４のコロ２８が前記上リンク杆２５の側縁に当止し、その角度を維持するようになっている。
【００２８】
更に、前記連結杆２２の前後端部にそれぞれプーリ２９，３０を水平横方向の支軸にて自由回動可能に設け、前記脚体６の下端前端に一端を係留したワイヤー３１を、前方のプーリ２９に前側から上側に巻回して後方へ導き、更に後方のプーリ３０の下側から後側に巻回して上方へ導き、その他端を前記ボックス体５の後端部に弛みなく係留している。それにより、前記パンタグラフ構造によって連結杆２２の前部が持ち上がると、ワイヤー３１の前側部分が長くなる分だけ、ワイヤー３１の後側部分が短くなり、従って連結杆２２の後部がワイヤー３１の後側部分で引き上げられる。それによって、前後の支持杆４，４に略均等に力が加わるのである。
【００２９】
また、前記各支持杆４の下端には、筒状のリニアブッシュ３２が固定されており、前記脚体６の下端から垂設したガイド棒３３を前記リニアブッシュ３２に上下スライド可能に挿通し、前記支持杆４の昇降動作をより安定に支持している。更に、図４、図５及び図１０に示すように、前記基台１のボックス体５のコーナー部において、前記支持杆４の二つの直交した板部４Ａ，４Ｂをそれぞれ内外からスライダー４６とコロ４７で受けて昇降案内している。つまり、前記スライダー４６を前記支持杆４の板部４Ａ，４Ｂの外側面に摺動するように前記ボックス体５の外側化粧板４８の裏面に固定するとともに、前記板部４Ａ，４Ｂの内側面にそれぞれ直交するように取付部材４９に回転可能に支持した前記コロ４７，４７を転動可能に当接している。
【００３０】
最後に、施錠装置３４を図１〜図３及び図９に基づいて簡単に説明する。前記施錠装置３４は、前記カバー２の枠体１０の両側中央部に下方へ向けて係止片３５を突設するとともに、該係止片３５に対応する基台１のボックス体５の両側中央より若干前側に前後方向にスライド変位し、後方へ突出するように弾性付勢したラッチ片３６を前記係止片３５に係合可能に設け、更に基台１の前面でボックス体５の中央部に開錠キーの差込口３７を設け、該差込口３７に連続した回転体３８の偏心位置に第１ワイヤー３９の一端を係留するとともに、側方へ延びた該第１ワイヤー３９の他端を前記ボックス体５の前端コーナー部に垂直軸にて回動可能に設けた方向変換体４０の偏心位置に係留し、更に前記方向変換体４０の偏心位置に第２ワイヤー４１の一端を係留するとともに、後方へ延びた該第２ワイヤー４１の他端を前記ラッチ片３６の前端部に係留した構造である。そして、前記差込口３７に装着した開錠キーを回転させることで、前記第１ワイヤー３９を中央側に引き、それに伴って方向変換体４０が傾動して前記第２ワイヤー４１を前方へ引き、それにより前記ラッチ片３６を係止片３５との係合が解除されるように前方へ引き込むようになっている。
【００３１】
前記係止片３５は前側に爪部４２を有し、その下端縁は該爪部４２に向けてやや上方へ傾斜した傾斜縁となっており、一方、前記ラッチ片３６は先端が下方へ向けて傾斜した傾斜面４３となっている。それにより、前記カバー２を下降させて閉止状態にする際に、前記係止片３５の爪部４２の先端で前記ラッチ片３６の傾斜面４３を摺動押圧しながら弾性付勢力に抗して該ラッチ片３６を前方へ変位させ、前記爪部４２がラッチ片３６の先端を通過した瞬間に該ラッチ片３６が弾性付勢力で復帰し、係合するのである。前記開錠キーを差込口３７に装着して回転操作するのは、前記ラッチ片３６を強制的に前方へ変位させて係止片３５の爪部４２との係合を解除するときだけである。尚、前記方向変換体４０は、単純に垂直な回転軸を有するプーリで置き換えることができ、その場合には前記第１ワイヤー３９と第２ワイヤー４１は１本のワイヤーにしてプーリに巻回して方向を９０度変えることができる。
【００３２】
更に、本実施形態の展示ケースは、前記基台１の各脚体６，６の下端前後には、キャスター４４，４４とアジャスター４５，４５を備え、キャスター４４で所定位置に移動した後、アジャスター４５を下降させてジャッキアップして位置固定することができるようになっている。
【００３３】
そして、図１１に示した他の実施形態は、前記カバー２の枠体１０の断面における横幅を小さくし、側面板８を最外方に保持し、展示空間１２を広くするとともに、展示物載置板７の面積を広くしたものである。つまり、前記枠体１０は、断面略Ｌ字形の受部材５０の外側面に前記側面板８の下端部を両面粘着テープや目地剤で貼着し、該受部材５０の上端部を内方へ折り返して当止部５１とし、該受部材５０の内面側と当止部５１に前記支持杆４の上端部を当接して溶接等で固定し、更に前記支持杆４の上端部で各板部４Ａ，４Ｂの内側面に断面略Ｌ字形の載支部材５２を固定し、該載支部材５２の下端に内向きに形成した当接板５３を、前記パッキン１６を介して前記接合板１４に載置するようにしている。ここで、前記受部材５０と載支部材５２とを一体に形成して前記枠体１０を構成してもよく、その場合にはアルミ押出し型材で形成しても良い。
【符号の説明】
【００３４】
１  基台、            ２  カバー、
３  昇降機構、        ４  支持杆、
５  ボックス体、      ６  脚体、
７  展示物載置板、    ８  側面板、
９  上面板、          １０  枠体、
１１  スリット開口、  １２  展示空間、
１３  挿通孔、        １４  接合板、
１５  床構造体、      １６  パッキン、
１７  当接板、        １８  保持溝、
１９  補強部、        ２０  杆体、
２１  開閉蓋、        ２２  連結杆、
２３  台座、          ２４  下リンク杆、
２５  上リンク杆、    ２６  オイルダンパー、
２７  キックバネ、    ２８  コロ、
２９  プーリ、        ３０  プーリ、
３１  ワイヤー、      ３２  リニアブッシュ、
３３  ガイド棒、      ３４  施錠装置、
３５  係止片、        ３６  ラッチ片、
３７  差込口、        ３８  回転体、
３９  第１ワイヤー、  ４０  方向変換体、
４１  第２ワイヤー、  ４２  爪部、
４３  傾斜面、        ４４  キャスター、
４５  アジャスター    ４６  スライダー、
４７  コロ、          ４８  外側化粧板、
４９  取付部材、      ５０  受部材、
５１  当止部、        ５２  載支部材、
５３  当接板。
【図１】
2010246796.tif 000003
【図２】
2010246796.tif 000004
【図３】
2010246796.tif 000005
【図４】
2010246796.tif 000006
【図５】
2010246796.tif 000007
【図６】
2010246796.tif 000008
【図７】
2010246796.tif 000009
【図８】
2010246796.tif 000010
【図９】
2010246796.tif 000011
【図１０】
2010246796.tif 000012
【図１１】
2010246796.tif 000013